(57)【要約】【課題】装飾性と薬液の揮散性の両方を兼ね備えた薬液揮散器を提供する。【解決手段】本発明に係る薬剤揮散器は、内部空間を有し、当該内部空間に通じる開口を上部に有する容器と、前記内部空間に収容され、当該内部空間の底面から所定の高さに支持部を有する台部材と、前記内部空間に収容され、前記支持部よりも低い液面を有する薬液と、前記支持部に支持され、前記容器の上部の開口から突出する少なくとも一つの装飾性物品と、前記薬液を吸収可能に前記内部空間に収容され、前記容器の上部の開口から突出する少なくとも一つの揮散体と、を備え、前記揮散体は、当該揮散体の長手方向の中心よりも下方において、前記台部材の支持部により、移動が規制されている。【選択図】図１
2019180616.tif 000002
【特許請求の範囲】
【請求項１】
内部空間を有し、当該内部空間に通じる開口を上部に有する容器と、
前記内部空間に収容され、当該内部空間の底面から所定の高さに支持部を有する台部材と、
前記内部空間に収容され、前記支持部よりも低い液面を有する薬液と、
前記支持部に支持され、前記容器の上部の開口から突出する少なくとも一つの装飾性物品と、
前記薬液を吸収可能に前記内部空間に収容され、前記容器の上部の開口から突出する少なくとも一つの揮散体と、
を備え、
前記揮散体は、当該揮散体の長手方向の中心よりも下方において、前記台部材の支持部により、移動が規制されている、薬液揮散器。
【請求項２】
前記開口の内周縁と前記装飾性物品との隙間の一部には、少なくとも一つの前記揮散体が配置されている、請求項１に記載の薬液揮散器。
【請求項３】
前記揮散体は、棒状に形成され、
前記台部材の支持部には、前記揮散体が挿通される少なくとも一つの貫通孔または切り欠きが形成されている、請求項１または２に記載の薬液揮散器。
【請求項４】
前記貫通孔または切り欠きは、前記支持部の外縁付近に形成されている、請求項３に記載の薬液揮散器。
【請求項５】
前記貫通孔または切り欠きが複数形成されており、少なくとも２つの前記貫通孔または切り欠きが、前記支持部の対向する縁部に形成されている、請求項３または４に記載の薬液揮散器。
【発明の詳細な説明】
【技術分野】
【０００１】
本発明は、薬剤揮散器に関する。
【背景技術】
【０００２】
従来より、特許文献１に記載のような薬液揮散器が提案されている。この薬液揮散器は、容器に芳香剤など薬液を収容した上で、棒状の揮散体を容器の開口に差し込んだものである。揮散体は、容器の開口から突出しているため、揮散体に吸収された薬液が外部に揮散し、芳香効果を得ることができる。なお、揮散体は、薬液を軸方向に吸引しつつ、外部に揮散可能な材料で形成されており、樹脂材料のほか、ラタンなどの植物で形成されることもある。
【先行技術文献】
【特許文献】
【０００３】
【特許文献１】特開２０１５−８７９９号公報
【発明の概要】
【発明が解決しようとする課題】
【０００４】
ところで、近年は、上記のような薬液揮散器にも装飾性が要求されることがあるため、装飾性を向上するため、例えば、花などの装飾性物品を容器に収容することが考えられる。しかしながら、薬液揮散器は、薬液が収容されているため、例えば、装飾性物品を容器に入れると、この装飾性物品にも薬液が吸収されるという不具合が生じる。本発明は、上記問題を解決するためになされたものであり、装飾性と薬液の揮散性の両方を兼ね備えた薬液揮散器を提供することを目的とする。
【課題を解決するための手段】
【０００５】
本発明に係る薬剤揮散器は、内部空間を有し、当該内部空間に通じる開口を上部に有する容器と、前記内部空間に収容され、当該内部空間の底面から所定の高さに支持部を有する台部材と、前記内部空間に収容され、前記支持部よりも低い液面を有する薬液と、前記支持部に支持され、前記容器の上部の開口から突出する少なくとも一つの装飾性物品と、前記薬液を吸収可能に前記内部空間に収容され、前記容器の上部の開口から突出する少なくとも一つの揮散体と、を備え、前記揮散体は、当該揮散体の長手方向の中心よりも下方において、前記台部材の支持部により、移動が規制されている。
【０００６】
この構成によれば、容器内に薬液を収容するとともに、この薬液を吸収可能な揮散体を収容している。さらに、容器内に、底面から所定高さに支持部を有する台部材を設け、この台部材に装飾性物品を支持している。ここで、支持部は、薬液の液面より高い位置に配置されているため、装飾性物品が薬液に接触するのを防止することができる。その結果、装飾性物品が薬液に影響を受けず、装飾性を保つことができる。また、装飾性物品が薬液に接触しないため、装飾性物品の選択の幅が広がり、種々の装飾性物品を用いることができる。したがって、本発明に係る薬液揮散器では、薬液の揮散性能と装飾性との両方の効果を提供することができる。
【０００７】
さらに、揮散体は、その長手方向の中心よりも下方において、支持部により移動が規制されているため、支持部上に位置する揮散体の距離が長くなる。その結果、揮散体が装飾性物品と接触する距離が長くなり（接触面積が大きくなり）、装飾性物品が倒れるのを抑制することができる。
【０００８】
上記薬剤揮散器において、前記開口の内周縁と前記装飾性物品との隙間の一部には、少なくとも一つの前記揮散体を配置することができる。
【０００９】
この構成によれば、揮散体が装飾性物品と開口の内周縁との隙間に配置されているため、装飾性物品が倒れるのをさらに抑制することができる。特に、装飾性物品の高さが高く、例えば、支持部から開口までの長さよりも、開口から装飾性物品の最上部までの長さが長い場合には、装飾性物品が倒れやすくなるため、有利である。
【００１０】
上記薬剤揮散器においては、前記揮散体は、棒状に形成され、前記台部材の支持部には、前記揮散体が挿通される少なくとも一つの貫通孔または切り欠きを形成することができる。
【００１１】
この構成によれば、揮散体を貫通孔または切り欠きに保持することができるため、揮散体が容器内での移動を規制することができる。
【００１２】
上記薬剤揮散器において、前記貫通孔の内径は、前記揮散体の外径の１．１〜３．０倍の大きさにすることができる。
【００１３】
これは、貫通孔の外径が大きすぎると、揮散体が傾斜しやすくなる一方、貫通孔の外径が小さすぎると、揮散体がほとんど傾斜せず、真っ直ぐに延びるため、装飾性物品が倒れるのを抑制しがたくなるからである。
【００１４】
上記薬剤揮散器において、前記貫通孔または切り欠きは、前記支持部の外縁付近に形成することができる。
【００１５】
上記薬剤揮散器においては、前記貫通孔または切り欠きが複数形成することができる、少なくとも２つの前記貫通孔または切り欠きを、前記支持部の対向する縁部に形成することができる。
【００１６】
上記薬剤揮散器において、前記装飾性物品は、柱状の炭とすることができる。これにより、装飾性に加え、炭により臭気の吸着なども行うことができるため、消臭効果を得ることができる。
【００１７】
上記薬剤揮散器において、前記装飾性物品と前記揮散体とを、同色とすることができる。これにより、装飾性物品と揮散体とが見た目に調和され、装飾性を向上することができる。
【発明の効果】
【００１８】
本発明に係る薬液揮散器によれば、装飾性と薬液の揮散性の両方を提供することができる。
【図面の簡単な説明】
【００１９】
【図１】本発明に係る薬剤揮散器の一実施形態を示す斜視図である。
【図２】台部材の斜視図である。
【図３】容器に収容された台部材の平面図である。
【図４】薬剤揮散器の平面図である。
【図５】揮散体と台部材との関係を示す断面図である。
【図６】台部材の支持部の他の例を示す平面図である。
【発明を実施するための形態】
【００２０】
以下、本発明に係る薬液揮散器の一実施形態について図面を参照しつつ説明する。図１はこの薬液揮散器の斜視図である。
【００２１】
＜１．薬液揮散器の概要＞
図１に示すように、この薬液揮散器は、容器１、この容器１の内部に収容される台部材２、装飾性物品３、揮散体４、及び薬液５を備えている。以下、各部材について説明する。
【００２２】
＜１−１．容器＞
図１に示すように、容器１は、内部空間を有する直方体状に形成され、上部には、内部空間に通じる長方形状の開口１１が形成されている。この容器１は、種々の材料で形成することができ、例えば、プラスチックなどの樹脂材料、陶器、ガラスなどで形成することができる。
【００２３】
＜１−２．台部材＞
次に、台部材２について説明する。図２は台部材の斜視図、図３は容器に収容された台部材の平面図である。図２に示すように、台部材２は、容器１の内部空間に収容される部材であり、矩形の板状に形成された支持部２１と、この支持部２１の４つの角部から下方に延びる４つの脚部２２とを備えている。そして、容器１内では、４つの脚部２２が内部空間の底面１２の角部付近に設置され、支持部２１が底面１２から所定高さに位置するように配置される。所定高さは、特には限定されないが、例えば、図１に示すように、内部空間の底面１２から開口１１までの高さの半分よりやや低い程度にすることができる。
【００２４】
図３に示すように、支持部２１の外形は、内部空間の外形よりもやや小さく、支持部２１の外縁と内部空間の内壁面との間に、平面視において隙間が形成されるようになっている。また、支持部２１には、４つの角部のうち、一方の長辺の両端に、それぞれ円形状の貫通孔２３が形成されている。また、他方の長辺の中央付近には、円弧状の切り欠き２４が形成されている。貫通孔２３は、後述するように、揮散体４を挿通し、揮散体４の移動を規制するためのものであり、揮散体４の直径よりやや大きい内径を有している。例えば、揮散体４の直径の１．１〜３．０倍、好ましくは１．１〜２．０倍、より好ましくは１．１〜１．５倍の大きさの直径とすることが好ましい。一方、切り欠き２４にも揮散体４が挿通されて、揮散体４の移動を規制するようになっている。具体的には、切り欠き２４と内部空間の内壁面との間に揮散体４が保持されるようになっている。
【００２５】
＜１−３．装飾性物品＞
本実施形態では、装飾性物品３として炭が用いられている。この炭は、竹炭、備長炭、その他木炭などの公知の黒い炭であり、円筒状に形成されている。そして、本実施形態では、２本の装飾性物品３が用いられ、台部材２の支持部２１上に支持されている。図１に示すように、これら装飾性物品３は、支持部２１の長手方向に並び、容器１の開口１１から上方へ突出するように配置されている。また、各装飾性物品３の軸方向の長さＨ１は、支持部２１から開口１１までの長さの２倍よりも長くなっている。すなわち、図１に示すように、各装飾性物品３の軸方向の中心が、容器１の開口１１よりも高い位置になっている。このように、装飾性物品３の軸方向の中心が、容器１の開口１１よりも高い位置になっていると、装飾性の点では優れるものの、装飾性物品３は倒れやすくなる。しかしながら、本発明によれば、以下に説明する揮散体４が装飾性物品３を支えることができるため、倒れるのを抑制することができる。
【００２６】
＜１−４．薬液＞
容器１の内部空間には、薬液５が収容されている。この薬液は、機能性成分として、芳香成分を有する。但し、これ以外にも、消臭成分、防虫成分、抗菌成分など種々の成分を含有することができる。このような機能性成分は、油性及び水溶性のいずれであってもよい。
【００２７】
また、図１に示すように、薬液５の液面は、台部材２の支持部２１よりも下方に位置している。すなわち、薬液５は、台部材２の支持部２１上に配置されている装飾性物品３には接しないようになっている。
【００２８】
＜１−５．揮散体＞
次に、揮散体について説明する。図１に示すように、揮散体４は、黒色の棒状に形成されており、薬液を吸収可能に構成されている。本実施形態では、３本の揮散体４が用いられ、それぞれ台部材２の貫通孔２３及び切り欠き２４に挿通されている。そして、各揮散体４の下端部は、容器１の内部空間の底面１２に接し、ここから台部材２の貫通孔２３または切り欠き２４を介して上方に延び、容器１の開口１１から突出している。各揮散体４において、貫通孔２３または切り欠き２４と接している部分は、各揮散体４の長手方向の長さの中心よりも低い位置である。また、各揮散体４の長さは、装飾性物品３よりもやや長いが、支持部２１上にある装飾性物品３の高さと、内部空間の底面１２から真っ直ぐに上方に延びる揮散体４とを比べると、揮散体４がやや低くなっている。揮散体４の具体的な長さは、使用する容器１や薬液５の量等に応じて適宜設定すればよいが、例えば、１２０〜１８０ｍｍ、より好ましくは１３０〜１７０ｍｍ程度にすることができる。また、揮散体４の直径は、例えば、１０ｍｍ以下、好ましくは３〜９ｍｍ、より好ましくは４〜８ｍｍにすることができる。
【００２９】
図４に示すように、揮散体４は、支持部２１の短手方向の両端部の貫通孔２３または切り欠き２４に挿通されることで規制されており、容器１の開口１１の短手方向において、装飾性物品３を挟むように配置される。すなわち、装飾性物品３の外縁と容器１の開口１１の長辺との間の隙間に、揮散体４がそれぞれ配置されるようになっている。
【００３０】
揮散体４は、例えば、以下のような材料で形成される。揮散体４としては、棒状に加工したポリマー繊維を用いられる。棒状に加工したポリマー繊維の素材としては、薬液を吸液して揮散できる素材からなるものであれば特に限定されないが、例えば、ナイロン、ポリエステル、アクリル、ビニロン、ポリオレフィン（ポリプロピレン、ポリエチレン等）、ポリウレタン等の合成繊維が挙げられる。なかでも、前記ポリマー繊維の素材としては、耐熱性、耐薬性の観点から、好ましくは合成繊維、より好ましくはポリエステル、及びポリウレタンが挙げられる。
【００３１】
ポリエステルの種類については、特に限定されないが、例えば、ポリエチレンテレフタレート、ポリブチレンテレフタレート、ポリエチレンナフタレート等が挙げられる。これらのポリエステルは、１種単独で使用してもよく、また２種以上を組み合わせて使用してもよい。これらのポリエステルの中でも、耐熱性、耐薬性の観点から、好ましくはポリエチレンテレフタレートが挙げられる。
【００３２】
ポリウレタンの種類については、主鎖中にウレタン結合を含む高分子であれば、特に限定されず、例えば、ポリオールとポリイソシアネートとの反応で得られるものが挙げられる。
【００３３】
ポリウレタンを構成するポリオール成分としては、例えば、エチレングリコール、ジエチレングリコール、トリエチレングリコール、１，３−ブタンジオール、１，４−ブタンジオール、１，２−プロパンジオール、１，３−プロパンジオール、１，６−ヘキサンジオール、ネオペンチルグリコール、１，４−シクロヘキサンジメタノール、メチル−１，５−ペンタンジオール、１，８−オクタンジオール、２−エチル−１，３−ヘキサンジオール、ジエチレングリコール、トリエチレングリコール、ジプロピレングリコールなどのグリコール類；トリメチロールプロパン、グリセリン、ペンタエリスリトールなどのポリオール類；エチレンオキサイドやプロピレンオキサイド単位を有するポリオール化合物；ポリエーテルジオール類、ポリエステルジオール類などの高分子量ジオール類；ビスフェノールＡやビスフェノールＦなどのビスフェノール類；ダイマー酸のカルボキシル基を水酸基に転化したダイマージオール等が挙げられる。これらは１種単独で使用してもよく、また２種以上を組み合わせて使用してもよい。
【００３４】
ポリウレタンを構成するポリイソシアネート成分としては、芳香族、脂肪族、及び脂環族の公知のジイソシアネート類が挙げられる。ジイソシアネート類の具体例としては、トリレンジイソシアネート、４，４’−ジフェニルメタンジイソシアネート、１，３−フェニレンジイソシアネート、ヘキサメチレンジイソシアネート、キシリレンジイソシアネート、イソホロンジイソシアネート、ジメチルジイソシアネート、リジンジイソシアネート、水添４，４’−ジフェニルメタンジイソシアネート、水添トリレンジイソシアネート、及びこれらのアダクト体、ビウレット体、イソシアヌレート体等が挙げられる。また、ジイソシアネート類には、トリフェニルメタントリイソシアネート、ポリメチレンポリフェニルイソシアネートなどの３官能以上のポリイソシアネート類を用いてもよい。これらは１種単独で使用してもよく、また２種以上を組み合わせて使用してもよい。
【００３５】
ポリマー繊維が、ポリエステル及びポリウレタンを含む場合、これらの含有比としては、例えば、ポリエステル１００重量部に対して、ポリウレタンが０．１〜２０重量部、好ましくは１〜１０重量部、より好ましくは３〜７重量部が挙げられる。
【００３６】
ポリマー繊維を棒状に加工する方法としては、特に限定されず、公知の方法を用いて棒状に加工するとよい。
【００３７】
揮散体４の形状としては、棒状であれば特に限定されず、例えば、円柱状や、三角柱状、四角柱状、六角柱状等の多角柱状が挙げられる。なかでも、揮散体の形状としては、装飾性物品３との接触面積を小さくし、揮散体４が吸液した薬剤が装飾性物品３に付着するのを最小限とすることができるため、円柱状が好ましい。なお、円柱状には、例えば、底面形状が完全な円形であるものだけではなく、微小な凹凸等があっても全体として略円形であるものも含まれる。揮散体は、複数使用する場合、全てが同じ形状であってもよいし、一部の形状が異なるものであってもよいが、同じ形状であることが好ましい。
【００３８】
揮散体４を長さ方向に対して垂直に切断した場合の前記ポリマー繊維の断面積としては、特に限定されず、揮散液の外観や薬液の揮散速度等の観点から適宜設定すればよいが、具体的には、１０〜６０ｍｍ2、好ましくは１５〜５０ｍｍ2、より好ましくは２０〜４０ｍｍ2が挙げられる。
【００３９】
＜２．特徴＞
以上のように構成された薬液揮散器は、以下の特徴を有している。
（１）薬液５は、揮散体４に吸い上げられ、揮散体４の外周面及び頂部から外部に揮散される。これにより、薬液５の芳香成分が外部に広がり、芳香効果を得ることができる。よって、装飾性物品３の装飾効果と、揮散体４による芳香成分の揮散効果を両立することができる。特に、装飾性物品３と揮散体４とが、ともに黒であるため、見た目の調和がとれ、装飾効果をさらに向上することができる。
【００４０】
（２）装飾性物品３である炭は、薬液５の液面よりも高い支持部２１上に支持されているため、薬液５に接しないようになっている。したがって、装飾性物品３により薬液５が吸引されるのを防止することができ、薬液５が揮散体４以外で減少するのを防止することができる。また、炭の吸着効果が低減するのを防止することもできる。さらに、装飾性物品３が薬液５に接触しないため、炭以外にも装飾性物品３の選択の幅が広くなり、種々の装飾性物品３を選択することができる。
【００４１】
（３）装飾性物品３は、軸方向の中心が容器１の開口１１よりも高い位置に配置されるため、倒れやすくなっている。これに対して、本実施形態では、図４に示すように、容器１の開口１１の短手方向において、装飾性物品３の外縁と開口１１の内縁との隙間に揮散体４が配置されるようになっているため、揮散体４によって、装飾性物品３が倒れるのを抑制することができる。この場合、揮散体４の傾斜角度は特には限定されず、傾斜角度にかかわらず、装飾性物品３の外縁と開口１１の内縁との隙間に揮散体４が配置され、揮散体４と装飾性物品３とが接触可能になっていればよい。なお、２個の装飾性物品３は、容器１の開口１１の長手方向に並ぶように配置されているため、長手方向においては、各装飾性物品３が互いに倒れるのを抑制するようになっている。
【００４２】
（４）図５（ａ）に示すように、揮散体４は、その長手方向の中心よりも下方において、支持部２１の貫通孔２３または切り欠き２４に保持されているため、支持部２１上に突き出る揮散体４の距離が長くなっている。その結果、揮散体４が装飾性物品３と接触する距離が長くなり（接触面積が大きくなり）、装飾性物品４が倒れるのをさらに抑制することができる。一方、図５（ｂ）に示すように、揮散体４が長手方向の中心より上方で貫通孔２３や切り欠き２４に保持されていると、揮散体４が装飾性物品３と接触する距離が短くなり（接触面積が小さくなり）、上記のような効果を得がたくなる。また、揮散体４は、支持部２１の貫通孔２３または切り欠き２４だけでなく、開口１１の内周縁にも保持されるが、図５（ａ）に示すように、貫通孔２３または切り欠き２４と開口１１の内周縁との距離が長いと、揮散体４の動きをより強く規制できるため好ましい。
【００４３】
（５）支持部２１の貫通孔２３の内径が揮散体４の外径の１．１〜３．０倍の大きさにしているため、揮散体４の支持部２１での傾斜を適度に規制することができる。すなわち、貫通孔２３の外径が大きすぎると、揮散体４が過度に傾斜しやすくなる一方、貫通孔２３の外径が小さすぎると、揮散体４がほとんど傾斜せず、真っ直ぐに延びてしまい、いずれの場合も、揮散体４が装飾性物品３に接触しがたくなる。
【００４４】
＜３．変形例＞
以上、本発明の一実施形態について説明したが、本発明はこれに限定されるものではなく、その趣旨を逸脱しない限りにおいて種々の変更が可能である。なお、以下の変形例は、適宜組み合わせ可能である。
【００４５】
＜３−１＞
容器１の形状は特には限定されず、薬液５、揮散体４、装飾性物品３、及び台部材２を収容可能な内部空間を有し、この内部空間から揮散体４及び装飾性物品３が突出可能な開口１１が形成されていればよい。
【００４６】
＜３−２＞
上記実施形態では、装飾性物品３として炭を用いているが、支持部２１で支持可能で、開口１１から突出するものであれば、これ以外の装飾性物品であってもよい。例えば、植物の花、造花など種々の装飾性物品を用いることができる。また、装飾性物品３の数、色、種類も特には限定されず、複数種の装飾性物品３を用いることもできる。
【００４７】
＜３−３＞
台部材２の形態は特には限定されず、容器１の内部空間の底面１２から薬液５の液面よりも高い位置に支持部２１を設けることできればよい。したがって、脚部２２以外でも支持部２１を所定の位置に支持できるものであればよく、例えば、容器１の内壁面に突部などの係合部を設け、この係合部に支持部２１を係合させて、所定の高さに配置できればよい。
【００４８】
支持部２１の形状も特には限定されない。上記実施形態のような矩形状以外でもよく、装飾性物品３を支持できればよい。また、上記実施形態では、支持部２１に２つの貫通孔２３と１つの切り欠き２４を設けているが、例えば、図６に示すように、貫通孔２３のみを形成したり、あるいは切り欠き２４のみを形成することもできる。すなわち、貫通孔２３や切り欠き部２４の数は特には限定されない。また、これら貫通孔２３及び切り欠き２４は、支持部２１の対向する辺にそれぞれ設けたり、角部に設けることができるが、これに限定されない。また、貫通孔２３や切り欠き２４を設けずに、揮散体４を支持部２１と容器１の内面（さらには、開口１１の内周縁）との間に挟み込むようにしてもよい。
【００４９】
支持部２１は、揮散体４の移動を規制するものであるが、その態様は特には限定されない。すなわち、支持部２１は、揮散体４が傾斜するなど、多少の移動は許容するが、例えば、容器１内で水平方向に大きく移動するのを規制するものであればよい。そのためには、上記実施形態のように、支持部２１に貫通孔２３や切り欠き２４を形成し、これらに揮散体４を挿通する態様のほか、貫通孔２３や切り欠き２４を設けずに、揮散体４を支持部２１と容器１の内面（さらには、開口１１の内周縁）との間に挟み込むようにしてもよい。
【００５０】
このように、揮散体４は、少なくともその長手方向の中心よりも下方において、支持部２１により揮散体４の移動が規制されるように構成されていればよいため、揮散体４の配置は特には限定されない。すなわち、上記実施形態のように、容器１の開口１１の短手方向において装飾性物品３を挟むようにしているが、このようになっていなくてもよい（例えば、図６（ｂ）参照）。但し、容器１の開口１１の内縁と装飾性物品３の外縁とのいずれかの隙間に少なくとも一つの揮散体４が配置されるようになっていれば、装飾性物品３が倒れるのを抑制することができるため、好ましい。この観点から、貫通孔２３や切り欠き２４は、支持部２１の対向する位置に設けることが好ましい。その他、例えば、装飾性物品の外形が大きい場合には、２つ以上の揮散体４で装飾性物品３を挟まず、装飾性物品３と容器１の開口１１の内縁との隙間に、一つの揮散体３を配置して、隙間を埋めることができる。
【００５１】
＜３−４＞
揮散体４の数は特には限定されず、上記実施形態のような３本以外でもよい。また、揮散体４の形状は、棒状に限定されず、薬液５を吸引し、外部に揮散できるように、開口１１から突出するような形状であればよい。また、材料も限定されず、上記のような樹脂材料のほか、ラタンなどの植物を用いることもできる。さらに、揮散体４と装飾性物品３の色は必ずしも同じでなくてもよく、異なる色であってもよい。
【符号の説明】
【００５２】
１  容器
１１  開口
１２  底面
２  台部材
２１  支持部
２３  貫通孔
２４  切り欠き
３  装飾性物品
４  揮散体
５  薬液
【図１】
2019180616.tif 000003
【図２】
2019180616.tif 000004
【図３】
2019180616.tif 000005
【図４】
2019180616.tif 000006
【図５】
2019180616.tif 000007
【図６】
2019180616.tif 000008